(57)【要約】【課題】  本発明は、薄型化が可能な少ない部品点数でシャッタ羽根およびＮＤフィルタを操作可能なシャッタ装置を提供すること。【解決手段】  本発明の第１の実施の形態のシャッタ装置２１は、第１リンク部材２３の一方の面には、第１マグネット２４ａが固着され、この第１マグネット２４ａは、回動支持部２３ａを境として一方と他方の磁極が着磁され、第１マグネット２３ａと対向する上方側には、第１コイル３２ａが配設され、この第１コイル３２ａに通電して発生する磁束が第１マグネット２４ａの一方と他方の磁極の磁束に作用することにより、第１リンク部材２３が回動支持部２３ａを支点としてシーソー状に回動し、シャッタ羽根２９が開口部２６ａを開閉可能になっている。【選択図】        図１
2005222016.tif 000002
【特許請求の範囲】
【請求項１】
所定の口径の開口部が形成された基部を有するベース部材と、このベース部材のシャッタ支持部に支持されて前記開口部を開閉する方向に回動可能なシャッタ羽根と、このシャッタ羽根を回動操作可能な第１リンク部材とを備え、前記ベース部材には、前記基部の外側に配設した前記第１リンク部材を回動自在に支持可能な第１リンク支持部が形成され、
前記第１リンク部材は、前記第１リンク支持部に支持可能な回動支持部が形成され、この回動支持部を前記第１リンク支持部に支持した状態で一端部側と他端部側とがシーソー状に回動可能になっており、
前記第１リンク部材の一方の面には、第１マグネットが固着され、この第１マグネットは、前記回動支持部を境として一方と他方の磁極が着磁され、前記第１マグネットと対向する側には、第１コイルが配設され、この第１コイルに通電して発生する磁束が前記第１マグネットの前記一方と他方の磁極の磁束に作用することにより、前記第１リンク部材が前記回動支持部を支点として前記シーソー状に回動し、前記シャッタ羽根が前記開口部を開閉可能になっていることを特徴とするシャッタ装置。
【請求項２】
前記第１リンク部材の一端部側には、前記シャッタ羽根を回動操作可能なシャッタ駆動部が形成され、前記シャッタ羽根は、薄板状に形成されて、前記ベース部材の前記シャッタ支持部に支持可能な支持部と前記第１リンク部材の前記シャッタ駆動部が係合可能な係合部とが形成され、前記シャッタ羽根は、前記第１リンク部材の回動が前記シャッタ駆動部を介して前記係合部に伝達されると、前記支持部を支点として前記第１リンク部材の回動方向と逆方向に回動することを特徴とする請求項１記載のシャッタ装置。
【請求項３】
前記第１リンク部材のシャッタ駆動部は、突起状に形成され、前記シャッタ羽根の前記係合部は、長孔状に形成され、前記第１リンク部材が回動すると、前記シャッタ駆動部が前記係合部の内周面をスライドして、前記シャッタ羽根が支持部を支点として前記開口部を開閉する方向に回動するようにしたことを特徴とする請求項２記載のシャッタ装置。
【請求項４】
前記ベース部材は、前記基部から突出する第１リンクガイド部が形成され、この第１リンクガイド部に前記第１リンク支持部が形成され、
前記第１リンク部材は、前記基部の外周部の外側に配設されて、前記回動支持部が前記第１リンク支持部に支持されていることを特徴とする請求項１乃至３のいずれかに記載のシャッタ装置。
【請求項５】
前記ベース部材には、前記基部から突出する羽根ガイド部が形成され、この羽根ガイド部に形成した前記シャッタ支持部に前記シャッタ羽根を支持したことを特徴とする請求項１乃至４のいずれかに記載のシャッタ装置。
【請求項６】
前記ベース部材の前記羽根ガイド部には、突起状のフィルタ支持部が形成され、このフィルタ支持部には、ＮＤフィルタを取り付けたフィルタ羽根、または前記開口部の口径より小さい小径孔を有する絞り部を取り付けた絞り羽根が回動自在に支持され、前記ＮＤフィルタまたは前記絞り部により、前記開口部を通過する光量を調整可能になっていることを特徴とする請求項５記載のシャッタ装置。
【請求項７】
前記基部を挟んで前記第１リンク部材と対向する側には、前記第１リンク部材と対称形状の第２リンク部材が配設され、前記ベース部材には、前記第２リンク部材の回動支持部を回動自在に支持可能な第２リンク支持部が形成され、前記第２リンク部材の一方の面には、第２マグネットが固着され、前記第２マグネットと対向する側に配設した第２コイルに通電することにより、前記フィルタ羽根または前記絞り羽根が回動するようにしたことを特徴とする請求項６記載のシャッタ装置。
【請求項８】
前記第１、第２リンク部材に固着した前記第１、第２マグネットには、前記回動支持部を境として前記異なる磁極が着磁された一方と他方の一対のマグネットが固着され、前記第１、第２リンク部材には、前記第１、第２マグネットの磁束によって、吸引力、または反発力が発生するようになっていることを特徴とする請求項７記載のシャッタ装置。
【請求項９】
前記第１リンク部材の他端部寄りには、前記第１マグネットの一方の磁極が着磁された一方のマグネットが固着され、前記第１リンク部材の他端部と対向する前記第２リンク部材の他端部寄りには、前記第２マグネットの他方の磁極が着磁された他方のマグネットが固着され、前記第１マグネットの前記一方のマグネットと前記第２マグネットの前記他方のマグネットとによって、前記第１、第２リンク部材のそれぞれの前記他端部が互いに近づく方向に引き合う前記吸引力が発生するようにしたことを特徴とする請求項８記載のシャッタ装置。
【請求項１０】
前記第１、第２リンク部材の回動で、前記シャッタ羽根、および前記フィルタ羽根または絞り羽根がそれぞれ独立して回動可能になっていることを特徴とする請求項７乃至９のいずれかに記載のシャッタ装置。
【請求項１１】
回動する前記フィルタ羽根または前記絞り羽根と、前記シャッタ羽根とが互いに干渉するのを防止するための干渉防止部材を、前記ＮＤフィルタまたは前記絞り部とシャッタ羽根との間で、前記ＮＤフィルタまたは前記絞り部の回動範囲内に配設したことを特徴とする請求項６乃至１０のいずれかに記載のシャッタ装置。
【請求項１２】
前記シャッタ羽根の上部に配設した前記ＮＤフィルタまたは前記絞り部は、回動端部が前記干渉部材上を摺動して回動可能になっているなっていることを特徴とする請求項１１記載のシャッタ装置。
【請求項１３】
前記第１、第２リンク部材は、外形が円形状のヨークに載置され、前記ベース部材上には、前記シャッタ羽根、および前記フィルタ羽根または絞り羽根を介して外形が円形状のカバー部材が配設されていることを特徴とする請求項７乃至１２のいずれかに記載のシャッタ装置。
【請求項１４】
前記カバー部材には、前記ベース部材の前記開口部と対向する位置に、前記ＮＤフィルタまたは前記絞り部が位置して回動可能な開放孔が形成されていることを特徴とする請求項１３記載のシャッタ装置。
【請求項１５】
前記第１、第２コイルは、前記ベース部材から外側に引き出されるＦＰＣ（フレキシブル基板）に固着形成されていることを特徴とする請求項７乃至１４のいずれかに記載のシャッタ装置。
【発明の詳細な説明】
【技術分野】
【０００１】
本発明は、シャッタ装置に係わり、デジタルムービーカメラあるいはデジタルスチルカメラ等に用いて好適なシャッタ装置に関する。
【背景技術】
【０００２】
従来のシャッタ装置を、特許文献１に基づいて説明すると、図９に示すように、リング状のマグネット１には、中央部に嵌合孔１ａが形成され、上面側に突出するダボ１ｂと、下面側に突出する２本のダボ１ｃ、１ｄとが形成されている。
前記マグネット１は、円周方向にｎ等分されてＳ極・Ｎ極が交互に着磁されている。
また、マグネット１の上部には、円筒状のコイル２が、絶縁材料からなるボビン３に巻き付けられて配設されている。前記ボビン３には、ダボ３ａが突出形成されている。
【０００３】
また、コイル２の上部には、磁性材料からなる円盤状のヨーク４が配設され、このヨーク４には、櫛歯状の第１磁極部４ａ、４ｂ、４ｃ、４ｄ、４ｅが形成されている。そして、コイル２に通電することにより櫛歯状の第１磁極部４ａ、４ｂ、４ｃ、４ｄ、４ｅが励磁されてコイル３が回転するようになっている。
また、嵌合孔１ａに嵌合リング６を嵌合させたマグネット１の下部には、コイル２によって磁極部４ａ〜４ｅとは逆の極性が励磁される第２磁極部である平板状の羽根押さえ板９が配設されている。
前記羽根押さえ板９の中央には、所定の口径の開口部９ａが形成されている。
【０００４】
また、羽根押さえ板９の下部には、第１、第２シャッタ羽根７、８を介して中央に開口部５ａが形成されたベース部材５が配設され、このベース部材５には、ダボ５ｂ、５ｃが形成されていると共にマグネット１のダボ１ｃ、１ｄが係合可能な長孔５ｄ、５ｅが形成されている。そして、マグネット１が回転することにより、ダボ１ｃ、１ｄが長孔５ｄ、５ｃに当接して、マグネット１の回転角度が所定角度で規制されるようになっている。
また、第１シャッタ羽根７は、丸孔７ａがベース部材５のダボ５ｃに嵌合すると共に、丸孔７ｂがマグネット１のダボ１ｄに嵌合している。  
【０００５】
また、第２シャッタ羽根８は、丸孔８ａがベース部材５のダボ５ｂに嵌合すると共に、丸孔８ｂがマグネット１のダボ１ｃに嵌合している。前記ベース部材５の下部には、ＮＤフィルタ板１０が配設され、孔１０ａがベース部材５の下面に形成したダボ（図示せず）に嵌合して回転自在になっている。
前記ＮＤフィルタ板１０には、光の透過率が小さなフィルタ部１０ｂが接着剤等で貼付されて形成されている。
そして、ＮＤフィルタ板１０が孔１０ａを支点として回動することにより、フィルタ１０ｂがベース部材５および羽根押さえ板９の開口部５ａ、９ａを覆うことができるようになっている。
【０００６】
また、ヨーク４上には連動レバー１１が配設されており、孔１１ａがボビン３のダボ３ａに支持されて、孔１１ａを支点として連動レバー１１が回動自在になっている。また、連動レバー１１の溝部１１ｂは、マグネット１のダボ１ｂに嵌合しており、マグネット１が回転すると、この回転に応じた角度だけ孔１１ａを支点として連動レバー１１が回動するようになっている。
前記連動テバー１１には、ギア部１１ｃが形成され、このギア部１１ｃに入力ギア１２のギア部１２ａが噛み合っている。
【０００７】
前記入力ギア１２は、内部にラチエットギア（図示せず）を有する出力部材１３と共にワンウエイクラッチを構成している。また、出力部材１３のピン１３ｂがＮＤフィルタ板１０の長孔１０ｃと摺動可能に嵌合している。
そして、出力部材１３の回転に応じて、ＮＤフィルタ板１０が回動して、フィルタ部１０ｂがそれぞれの開口部５ａ、９ａを覆う動作、または開放する動作を行うようになっている。
【０００８】
このような構成の従来のシャッタ装置におけるマグネット１とＮＤフィルタ板１０との動作を説明すると、例えばコイル２に対して非通電時は、フィルタ部１０ｂが開口部５ａ、９ａから待避した第１の露光状態となって停止している。
この状態から、コイル２に通電を行い、ヨーク４の磁極部４ａ〜４ｅのＳ極に励磁すると、回転方向の電磁力を受けたマグネット１は、時計回り方向に所定角度回転する。
【０００９】
この時の入力ギア１２は、連動レバー１１を介して回転するが、出力部材１３は内部のラチエットギアの作用で回転しないようになっている。そのために、ＮＤフィルタ板１０のフィルタ１０ｂは、羽根押さえ板９の開口部９ａから回避した第１の露光状態で停止したままである。
ここで、コイル２への通電方向を反対にすると、ヨーク４の磁極部４ａ〜４ｅがＮ極に励磁されて、マグネット１は反時計回り方向に所定角度回転する。
【００１０】
また、マグネット１の反転に連動して入力ギア１２も反転し、出力部材１３のラチエットギアの作用で出力部材１３が反時計回り方向に所定角度回転する。
これの伴って、出力部材１３のピン１３ｂにより、ＮＤフィルタ１０が回動して、フィルタ部１０ｂが開口部５ａ、９ａを覆うようになる。
このことにより、開口部５ａ、９ａを通過する光量が第１の露光状態より少ない第２の露光状態となる。
【特許文献１】特開２００２−３４５２２５号公報
【特許文献２】特開２００３−１１１３７６号公報
【発明の開示】
【発明が解決しようとする課題】
【００１１】
しかし、前述したような従来のシャッタ装置は、シャッタ羽根７、８を回動操作するためのマグネット１で、連動レバー１１、入力ギア１２、出力部材１３等を介してＮＤフィルタ１０を回動させていたので、それぞれの部材間で発生するバックラッシュが累積されて、ＮＤフィルタ１０がアクチュエータであるマグネット１より若干遅れて回動する問題があった。
【００１２】
また、従来のシャッタ装置は、ＮＤフィルタ板１０を操作するために、連動レバー１１、入力ギア１、および内部にラチエットギアを有する出力部材１３等が必要であったので、部品点数が多くなってコストアップになると共に、厚さ寸法が厚くなる問題があった。
本発明は、前述したような課題を解決するためのものであり、薄型化が可能な少ない部品点数でシャッタ羽根、およびＮＤフィルタを操作可能なシャッタ装置を提供することを目的とする。
【課題を解決するための手段】
【００１３】
前記課題を解決するための第１の解決手段として本発明のシャッタ装置は、所定の口径の開口部が形成された基部を有するベース部材と、このベース部材のシャッタ支持部に支持されて前記開口部を開閉する方向に回動可能なシャッタ羽根と、このシャッタ羽根を回動操作可能な第１リンク部材とを備え、前記ベース部材には、前記基部の外側に配設した前記第１リンク部材を回動自在に支持可能な第１リンク支持部が形成され、
前記第１リンク部材は、前記第１リンク支持部に支持可能な回動支持部が形成され、この回動支持部を前記第１リンク支持部に支持した状態で一端部側と他端部側とがシーソー状に回動可能になっており、
前記第１リンク部材の一方の面には、第１マグネットが固着され、この第１マグネットは、前記回動支持部を境として一方と他方の磁極が着磁され、前記第１マグネットと対向する側には、第１コイルが配設され、この第１コイルに通電して発生する磁束が前記第１マグネットの前記一方と他方の磁極の磁束に作用することにより、前記第１リンク部材が前記回動支持部を支点として前記シーソー状に回動し、前記シャッタ羽根が前記開口部を開閉可能になっていることを特徴とする。
【００１４】
また、前記課題を解決するための第２の解決手段として、前記第１リンク部材の一端部側には、前記シャッタ羽根を回動操作可能なシャッタ駆動部が形成され、前記シャッタ羽根は、薄板状に形成されて、前記ベース部材の前記シャッタ支持部に支持可能な支持部と前記第１リンク部材の前記シャッタ駆動部が係合可能な係合部とが形成され、前記シャッタ羽根は、前記第１リンク部材の回動が前記シャッタ駆動部を介して前記係合部に伝達されると、前記支持部を支点として前記第１リンク部材の回動方向と逆方向に回動することを特徴とする。
【００１５】
また、前記課題を解決するための第３の解決手段として、前記第１リンク部材のシャッタ駆動部は、突起状に形成され、前記シャッタ羽根の前記係合部は、長孔状に形成され、前記第１リンク部材が回動すると、前記シャッタ駆動部が前記係合部の内周面をスライドして、前記シャッタ羽根が支持部を支点として前記開口部を開閉する方向に回動するようにしたことを特徴とする。
【００１６】
また、前記課題を解決するための第４の解決手段として、前記ベース部材は、前記基部から突出する第１リンクガイド部が形成され、この第１リンクガイド部に前記第１リンク支持部が形成され、
前記第１リンク部材は、前記基部の外周部の外側に配設されて、前記回動支持部が前記第１リンク支持部に支持されていることを特徴とする。
【００１７】
また、前記課題を解決するための第５の解決手段として、前記ベース部材には、前記基部から突出する羽根ガイド部が形成され、この羽根ガイド部に形成した前記シャッタ支持部に前記シャッタ羽根を支持したことを特徴とする。
【００１８】
また、前記課題を解決するための第６の解決手段として、前記ベース部材の羽根ガイド部には、突起状のフィルタ支持部が形成され、このフィルタ支持部には、ＮＤフィルタを取り付けたフィルタ羽根、または前記開口部の口径より小さい小径孔を有する絞り部を取り付けた絞り羽根が回動自在に支持され、ＮＤフィルタまたは小径孔により、開口部を通過する光量を調整可能になっていることを特徴とする。
【００１９】
また、前記課題を解決するための第７の解決手段として、前記基部を挟んで前記第１リンク部材と対向する側には、前記第１リンク部材と対称形状の第２リンク部材が配設され、前記ベース部材には、前記第２リンク部材の回動支持部を回動自在に支持可能な第２リンク支持部が形成され、前記第２リンク部材の一方の面には、第２マグネットが固着され、前記第２マグネットと対向する側に配設した第２コイルに通電することにより、前記フィルタ羽根または前記絞り羽根が回動するようにしたことを特徴とする。
【００２０】
また、前記課題を解決するための第８の解決手段として、前記第１、第２リンク部材に固着した前記第１、第２マグネットには、前記回動支持部を境として前記異なる磁極が着磁された一方と他方の一対のマグネットが固着され、前記第１、第２リンク部材には、前記第１、第２マグネットの磁束によって、吸引力、または反発力が発生するようになっていることを特徴とする。
【００２１】
また、前記課題を解決するための第９の解決手段として、前記第１リンク部材の他端部寄りには、前記第１マグネットの一方の磁極が着磁された一方のマグネットが固着され、前記第１リンク部材の他端部と対向する前記第２リンク部材の他端部寄りには、前記第２マグネットの他方の磁極が着磁された他方のマグネットが固着され、前記第１マグネットの前記一方のマグネットと前記第２マグネットの前記他方のマグネットとによって、前記第１、第２リンク部材のそれぞれの前記他端部が互いに近づく方向に引き合う前記吸引力が発生するようにしたことを特徴とする。
【００２２】
また、前記課題を解決するための第１０の解決手段として、前記第１、第２リンク部材の回動で、前記シャッタ羽根、および前記フィルタ羽根または絞り羽根がそれぞれ独立して回動可能になっていることを特徴とする。
【００２３】
また、前記課題を解決するための第１１の解決手段として、回動する前記フィルタ羽根または前記絞り羽根と、前記シャッタ羽根とが互いに干渉するのを防止するための干渉防止部材を、前記ＮＤフィルタまたは前記絞り部とシャッタ羽根との間で、前記ＮＤフィルタまたは前記絞り部の回動範囲内に配設したことを特徴とする。
【００２４】
また、前記課題を解決するための第１２の解決手段として、前記シャッタ羽根の上部に配設した前記ＮＤフィルタまたは前記絞り部は、回動端部が前記干渉部材上を摺動して回動可能になっているなっていることを特徴とする。
【００２５】
また、前記課題を解決するための第１３の解決手段として、前記第１、第２リンク部材は、外形が円形状のヨークに載置され、前記ベース部材上には、前記シャッタ羽根、および前記フィルタ羽根または絞り羽根を介して外形が円形状のカバー部材が配設されていることを特徴とする。
【００２６】
また、前記課題を解決するための第１４の解決手段として、前記カバー部材には、前記ベース部材の前記開口部と対向する位置に、前記ＮＤフィルタまたは前記絞り部が位置して回動可能な解放孔が形成されていることを特徴とする。
【００２７】
また、前記課題を解決するための第１５の解決手段として、前記第１、第２コイルは、前記ベース部材から外側に引き出されるＦＰＣ（フレキシブル基板）に固着形成されていることを特徴とする。
【発明の効果】
【００２８】
本発明のシャッタ装置は、ベース部材の外側に第１リンク部材を配設し、この第１リンク部材にの一方の面には、第１マグネットが固着され、この第１マグネットは、回動支持部を境として一方と他方の磁極が着磁され、第１マグネットと対向する側には、第１コイルが配設されて、この第１コイルに通電して発生する磁束が第１マグネットの一方と他方の磁束に作用することにより、第１リンク部材が回動支持部を支点としてシーソー状に回動し、シャッタ羽根が開口部を開閉可能になっているので、薄型のシャッター装置を提供できる。
また、第１リンク部材のリンク重心に回動支持部を形成しているので、外部から衝撃等が加わったとしても、第１リンク部材が回動するのを防止できる。
【００２９】
また、シャッタ羽根は、薄板状に形成されて、ベース部材のシャッタ支持部に支持可能な支持部と第１リンク部材のシャッタ駆動部が係合可能な係合部とが形成され、シャッタ羽根は、第１リンク部材の回動が前記シャッタ駆動部を介して係合部に伝達されると、支持部を支点として第１リンク部材の回動方向と逆方向に回動するので、第１リンク部材の小さな回動力でシャッタ羽根を確実に回動させることができる。
また、シャッタ羽根は、薄板状で質量が小さいために、外部から衝撃等が加わったとしても、回動するのを防止できる。
【００３０】
また、第１リンク部材のシャッタ駆動部は、突起状に形成され、前記シャッタ羽根の前記係合部は、長孔状に形成され、第１リンク部材が回動すると、シャッタ駆動部が係合部の内周面をスライドして、シャッタ羽根が支持部を支点として開口部を開閉する方向に回動するようにしたので、更に確実にシャッタ羽根を回動させることができる。
【００３１】
また、ベース部材は、基部から突出する第１リンクガイド部が形成され、この第１リンクガイド部に第１リンク支持部が形成され、第１リンク部材は、基部外周部の外側に配設されて、回動支持部が第１リンク支持部に支持されているので、基部の外側に位置する第１リンク部材でシャッタ羽根を回動操作することができ、薄型化が可能なシャッタ装置を提供できる。
【００３２】
また、ベース部材には、基部から突出する羽根ガイド部が形成され、この羽根ガイド部に形成したシャッタ支持部にシャッタ羽根を支持したので、シャッタ羽根は、羽根ガイド部にガイドされてシャッタ支持部を支点として、開口部を開閉する方向に確実に回動操作できる。
【００３３】
また、ベース部材の羽根ガイド部には、突起状のフィルタ支持部が形成され、このフィルタ支持部には、ＮＤフィルタを取り付けたフィルタ羽根、または開口部の口径より小さい小径孔を有する絞り部を取り付けた絞り羽根が回動自在に支持され、ＮＤフィルタまたは絞り部により、開口部を通過する光量を調整可能になっているので、ＮＤフィルタまたは絞り部の小径孔で、確実で高精度に開口部を通過する光量を調整可能な絞り動作を行うことができる。
【００３４】
また、ベース部材には、第２リンク部材を支持可能な第２リンク支持部が形成され、この第２リンク部材の一方の面には、第２マグネットが固着され、第２マグネットと対向する側に配設した第２コイルに通電することにより、フィルタ羽根または絞り羽根が回動するようにしたので、フィルタ羽根または絞り羽根を確実に回動させて開口部を通過する光量を高精度に調整することができる。
【００３５】
また、第１、第２リンク部材に固着した第１、第２マグネットには、回動支持部を境として異なる磁極が着磁された一方と他方の一対のマグネットが固着され、第１、第２リンク部材には、第１、第２マグネットの磁束によって、吸引力、または反発力が発生するようになっているので、製品バラエティ毎に異なる特性に対応して吸引力、または反発力を発生させることができ、設計の自由度を向上できる。
【００３６】
また、第１マグネットの一方のマグネットと第２マグネットの他方のマグネットとによって、第１、第２リンク部材のそれぞれの他端部が互いに近づく方向に引き合う吸引力が発生するようにしたので、シャッタ羽根が開口部を遮蔽するシャッタスピードを速めることができる。
【００３７】
また、第１、第２リンク部材の回動で、シャッタ羽根、およびフィルタ羽根または絞り羽根がそれぞれ独立して回動可能になっているので、操作性に優れたシャッタ装置を提供できる。
【００３８】
また、回動するフィルタ羽根または絞り羽根と、シャッタ羽根とが互いに干渉するのを防止するための干渉防止部材を、ＮＤフィルタまたは絞り部とシャッタ羽根との間で、ＮＤフィルタまたは絞り部の回動範囲内に配設したので、回動するＮＤフィルタまたは絞り部がシャッタ羽根と擦れて干渉するのを防止することができ、バラツキのない均一なシャッタスピードとすることができる。
【００３９】
また、シャッタ羽根の上部に配設したＮＤフィルタまたは絞り部は、回動端部が干渉部材上を摺動して回動可能になっているなっているので、更に確実に回動するＮＤフィルタまたは絞り部とシャッタ羽根との干渉を防止できる。
【００４０】
また、第１、第２リンク部材は、外形が円形状のヨークに載置され、ベース部材上には、シャッタ羽根、およびフィル羽根または絞り羽根を介して外形が円形状のカバー部材が配設されているので、円形状の内部にシャッタ羽根、およびフィルタ羽根または絞り羽根を配設できると共に、これらを駆動操作可能なマグネットおよびコイル等を効率良く配設でき、小型薄型で設計の自由度が大きいシャッタ装置を提供できる。
【００４１】
また、カバー部位材には、ベース部材の開口部と対向する位置に、ＮＤフィルタまたは絞り部が位置して回動可能な開放孔が形成されているので、開放孔でＮＤフィルタまたは絞り部の厚さを吸収することができる。そのために、更に薄型にできる。
【００４２】
また、第１、第２コイルはベース部材から外側に引き出されるＦＰＣ（フレキシブル基板）に固着形成されているので、組立が容易である。
【発明を実施するための最良の形態】
【００４３】
以下、本発明に関するシャッタ装置の実施の形態を図１〜図８に基づいて説明する。図１は本発明の第１の実施の形態の分解斜視図であり、図２は図１の部分平面図であり、図３は図１の内部を説明する平面図であり、図４は図１の平面図であり、図５は図４の側面図であり、図６は本発明の第２の実施の形態のシャッタ装置の分解斜視図であり、図７は図６の部分平面図であり、図８は図６の部分平面図である。
【００４４】
まず、本発明の第１の実施の形態の実施の形態のシャッタ装置２１を図１〜図５に基づいて説明すると、最下部には、外径が略９ｍｍの円形状に形成されたヨーク２２が配設され、このヨーク２２は、鋼板等の磁性材料で形成されている。
前記ヨーク２２は、中央部に後述するベース部材２６の円形状の基部２６ｂが嵌合可能な開口２２ａが形成されてドーナッツ状をなしている。
また、ヨーク２２は、図示手前側と奥側の互いに対向する部分に、それぞれ切り欠き部２２ｂ、２２ｂが形成され、切り欠き部２２ｂの図示右側に第１平面部２２ｃ、図示左側に第２平面部２２ｄがそれぞれ円弧状に形成されている。
【００４５】
また、第１平面部２２ｃ上には、円弧状に形成された第１リンク部材２３が載置されている。前記第１リンク部材２３は、円弧状の長手方向の略中央部に貫通孔からなる回動支持部２３ａが形成されている。
また、第１リンク部材２３は、図示奥側端部に突起状のシャッタ駆動部２３ｂが所定高さで突出形成されると共に、一方の面である表面に永久磁石からなる第１マグネット２４ａが第１リンク部材２３の位置決め部２３ｃに位置決めされて、接着剤等で固着されている。
【００４６】
前記円弧状の第１マグネット２４ａは、例えば磁性をもつ金属粉を練り込みした樹脂材料を成形加工され、第１リンク部材２３の回動支持部２３ａを境として一方の磁極であるＳ極と、他方の磁極であるＮ極とが着磁されている。
また、回動支持部２３ａが位置する部分には、後述するベース部材２６の第１リンクガイド部２６ｃがガタ嵌合可能な略半円状の逃げ部２４ｂが形成されている。そして、第１リンク部材２３に固着した第１マグネット２４ａは、他端部２３ｃに形成した位置決め部で位置決めされて、他端部２３ｃ寄りがＳ極に着磁されると共に、シャッタ駆動部２３ｂ寄りの一端部側にＮ極とが着磁されている。
【００４７】
また、ヨーク２２の第２平面部２２ｄ上には、第１リンク部材２３と対称形状に形成された第２リンク部材２５が載置されている。前記第２リンク部材２５は、円弧状の長手方向の略中央部に、貫通孔からなる回動支持部２５ａが形成されている。
そして、第２リンク部材２５は、図示奥側端部に第１リンク部材２３のシャッタ駆動部２３ｂと同じ形状のフィルタ駆動部２５ｂが突出形成されると共に、一方の面である表面に第１マグネット２４ａと対称形状に形成された第２マグネット２４ｃが、他端部２５ｃに形成した位置決め部で位置決めされて固着されている。前記第２マグネット２４ｃは、他端部寄りがＮ極に着磁されると共に、フィルタ駆動部２５ｂ寄りの一端部側がＳ極に着磁されている。
前記第２マグネット２４ｃは、第２リンク部材２５の回動支持部２５ａが位置する部分に略半円状の逃げ部２４ｄが形成されている。
【００４８】
また、ヨーク２２上には、第１、第２リンク部材２３、２５を介して、樹脂材料からなるベース部材２６が配設されている。前記ベース部材２６は、中央部に所定の口径の開口部２６ａを有する基部２６ｂが円筒状に形成されている。
前記基部２６ｂが所定の径寸法と高さ寸法で形成され、この基部２６ｂがヨーク２２の開口２２ａに嵌合可能になっている。また、基部２６ｂからは、第１リンクガイド部２６ｃが突出形成され、この第１リンクガイド部２６ｃに第１リンク部材２３に固着した第１マグネット２４ａの逃げ部２４ｂが位置するようになっている。
【００４９】
そして、第１リンクガイド部２６ｃには、第１リンク部材２３の回動支持部２３ａに嵌合可能な突起状の第１リンク支持部２６ｄが所定高さで形成されている。また、基部２６ｂの図示奥側には、略扇状で面積の広い羽根ガイド部２７が外側に突出形成され、こｎ羽根ガイド部２７の上面が基部２６ｂの表面と同一面に形成されている。そして、羽根ガイド部２７には、図示右側にシャッタ支持部２７ａと、図示左側にフィルタ支持部２７ｂとが所定の径寸法と高さ寸法で突出形成されている。
また、シャッタ支持部２７ａとフィルタ支持部２７ｂとの間には、それぞれの支持部２７ａ、２７ｂより高さが低い凸部２７ｃが形成されされている。
【００５０】
前記基部２６ｂ上には、羽根ガイド部２７の凸部２７ｃと対向する位置に凸部２７ｃと同じ高さの凸部２６ｅが形成されている。また、基部２６ｂには、第１リンクガイド部２６ｃと対称位置に、第１リンクガイド部２６ｃと同形状の第２リンクガイド部２８が形成されている。
前記第２リンクガイド部２８には、第２リンク部材２５の回動支持部２５ａに嵌合可能な第２リンク支持部２８ａが、第１リンク支持部２６ｄと同形状に突出形成されている。
また、ベース部材２６には、凸部２７ｃより内側の羽根ガイド部２７上に、カーボン等の導電性粉末を練り込みした樹脂材料等からなる薄板状のシャッタ羽根２９が配設されている。
【００５１】
このシャッタ羽根２９の図示右端部側には、丸孔からなる支持部２９ａが形成されると共に、この支持部２９ａに隣接する手前側に長孔状の係合部２９ｂが形成されている。
また、シャッタ羽根２９には、図示左側の一端部側に、ベース部材２６の開口部２６ａを開閉可能な面積の大きな遮蔽部２９ｃが形成されている。
このようなシャッタ羽根２９は、支持部２９ａをベース部材２６のシャッタ支持部２７ａに嵌合させると共に、係合部２９ｂに第１リンク部材２３のシャッタ駆動部２３ｂが係合されて組み立てられている。
【００５２】
そして、第１リンク部材２３は、回動支持部２３ａを支点としてシーソ状に回動して、シャッタ駆動部２３ｂが第１係合部２９ｂの内壁を押圧しながらスライドする。このことにより、シャッタ羽根２９は、支持部２９ａを支点として、遮蔽部２９ｃが開口部２６ａを開閉する方向に回動するようになっている。
【００５３】
また、シャッタ羽根２９の上部には、フィルタ羽根３０が配設され、このフィルタ羽根３０は、シャッタ羽根２９と同様にカーボン粉末を練り込みした樹脂材料等で薄板状に形成されている。
前記フィルタ羽根３０は、図示右側の一端部側にベース部材２６の開口部２６ａより径寸法が若干大きく形成された開口３０ａを有するリング状のフィルタ支持部３０ｂが形成されている。
【００５４】
また、フィルタ羽根３０は、図示左側の他端部側に丸孔状の支持部３０ｃが形成され、この支持部３０ｃに隣接する手前側に長孔状の係合部３０ｄが形成されている。
そして、フィルタ支持部３０ｂには、開口部２６ａを通過する光の光量を調整することができる所定の厚さからなるＮＤフィルタ３１が接着剤等で取り付けられている。
【００５５】
また、第１、第２リンク部材２３、２５に取り付けた第１、第２マグネット２４ａ、２４ｃと対向する上方には、薄板状で略楕円状に巻回された第１、第２コイル３２ａ、３２ｂが配設されている。前記第１、第２コイル３２ａ、３２ｂは、図３〜図５に示すように、ベース部材２７から外部に引き出しされるＦＰＣ（フレキシブル基板）３３に固着形成されている。
前記第１、第２コイル３２ａ、３２ｂは、ＦＰＣ３３に印刷形成したものでも良い。
また、ベース部材２７の上方を覆うカバー部材３４は、外径が略９ｍｍの円形状に形成され、スズメッキ鋼板等の磁性材料からなるので、第１、第２コイル３２ａ、３２ｂに通電した時に発生する磁束密度を高めることができる。
【００５６】
前記カバー部材３４には、ベース部材２６の開口部２６ａと対向する位置に開放孔３４ａが形成されている。この開放孔３４ａに所定厚さのＮＤフィルタ３１が位置するようになっており、支持部３０ｃを支点としてフィルタ羽根３０を回動させると、ＮＤフィルタ３１が開放孔３４ａ内を移動可能になっている。
このようなＮＤフィルタ３１は、厚さ方向が開放孔３４ａ内に位置しているので、薄型化に対応できる構造になっている。
【００５７】
また、開放孔３４ａの図示左右で、開放孔３４ａと直交する方向には、開放孔３４ａより小さな一対の長孔３４ｂ、３４ｂが形成されている。  前記一対の長孔３４ｂには、第１、第２リンク部材２３、２５のシャッタ駆動部２３ｂ、フィルタ駆動部２５ｂが嵌合してスライド可能になっている。
【００５８】
このような構成の本発明の第１の実施の形態のシャッタ装置２１の組立は、ヨーク２２の第１平面部２２ｃ上に第１マグネット２４ａを固着した第１リンク部材２３を載置すると共に、第２平面部２２ｄ上に第２マグネット２４ｃを固着した第２リンク部材２５を載置する。
次ぎに、ベース部材２６を前記第１、第２リンク部材２３、２５の上に載置させて、第１リンク支持部２６ｄを第１リンク部材２３の回動支持部２３ａに嵌合させると共に、第２リンク支持部２８ａを第２リンク部材２５の回動支持部２５ａに嵌合させる。すると、第１、第２リンク部材２３、２５のシャッタ駆動部２３ｂとフィルタ駆動部２５ｂとの間に、ベース部材２６の羽根ガイド部２７が位置する。
【００５９】
次ぎに、シャッタ羽根２９の丸孔状の支持部２９ａをベース部材２６の突起状のシャッタ支持部２７ａに嵌合させると共に、楕円孔からなる係合部２９ｂに第１リンク部材２３のシャッタ駆動部２３ｂを係合させる。
また、シャッタ羽根２９の上にＮＤフィルタ３１を取り付けたフィルタ羽根３０を載置して、フィルタ羽根３０の丸孔状の支持部３０ｃをベース部材２６のフィルタ支持部２７ｂに嵌合させると共に、長孔状からなる第２係合部３０ｄに第２リンク部材２５のフィルタ駆動部２５ｂを係合させる。
【００６０】
次ぎに、ＦＰＣ３３を取り付けたカバー部材３４をヨーク２２の円形状の外周部に位置合わせしてベース部材２６上に載置すると、ＦＰＣ３３に印刷等で形成した一対のコイル３２ａ、３２ｂが、ベース部材２６の基部２６ｂの外側に位置する。そして、一対のコイル３２ａ、３２ｂが第１、第マグネット２４ａ、２４ｂ上に位置すると共に、第１、第２リンク部材２３、２５のシャッタ駆動部２３ｂ、フィルタ駆動部２５ｂがカバー部材３４の長孔３４ｂ、３４ｂに嵌合する。
【００６１】
この時のカバー部材３４は、ベース部材２６のそれぞれの凸部２６ｅ、２７ｃによって、ベース部材２６との間に所定寸法の隙間が形成されて、シャッタ羽根２９およびフィルタ羽根３０が回動自在になっている。
そして、ヨーク２２とカバー部材３４との間の外周部が、円形状の周壁部材（図示せず）で覆わると共に固定されて、ヨーク２２からカバー部材３４までの厚さ寸法が略１、５ｍｍと薄型に形成されている。
【００６２】
このように組み立てられた本発明の第１の実施の形態のシャッタ装置２１の動作は、例えば、第１コイル３２ａに通電して発生する磁束が、第１マグネット２４ａの磁束に作用する。このことにより、第１リンク部材２３は、回動支持部２３ａを支点として、一端部側のシャッタ駆動部２３ｂがベース部材２６の基部２６ｂから離れる方向に、他端部２３ｃが基部２６ｂに近づく方向の図示時計回り方向に回動する。
【００６３】
これによって、シャッタ羽根２９は、楕円孔からなる係合部２９ｂの内周面がシャッタ駆動部２３ｂによって外側に押されて、支持部２９ｂを支点として図示反時計回り方向に回動する。即ち、シャッタ羽根２９は、第１リンク部材２３の回動方向と逆方向の反時計回り方向に回動する。
このことにより、面積の大きな遮蔽部２９ｃが開口部２６ａを閉じる方向に回動して、開口部２６ａを完全に遮蔽するシャッタ動作が行われる。
また、第１コイル３２ａへの通電を逆にすると、第１リンク部材２３は、シャッタ駆動部２３ｂがベース部材２６の基部２６ｂに近づく方向に、他端部２３ｃが基部２６ｂから遠のく方向の反時計回り方向に回動する。このことにより、シャッタ羽根２９は、支持部２９ｂを支点として時計回り方向に回動して、遮蔽部２９ｃが開口部２６ａを開放するようになる。
【００６４】
また、第２コイル３２ｂに通電することにより、第２リンク部材２５は、回動支持部２５ａを支点として、時計回り方向および反時計回り方向に回動して、フィルタ羽根３０が回動するようになっている。
このフィルタ羽根３０の回動で、ＮＤフィルタ３１が開口部２６ａを遮蔽して、開口部２６ａを通過する光量を調整することができるようになっている。
【００６５】
本発明の第１の実施の形態のシャッタ装置２１は、ベース部材２６の基部２６ｂの外側に第１、第２リンク部材２３、２５を配設し、この第１、第２リンク部材２３、２５は、それぞれの回動支持部２３ａ、２５ａを支点としてシーソ状に回動させることで、シャッタ羽根２９およびフィルタ羽根３０が回動して開口部２６ａを開閉可能になっている。
そのために、本発明の第１の実施の形態のシャッタ装置２１は、図５に示すように、厚さ寸法が略１．５ｍｍと薄型にできる。
【００６６】
また、本発明の第２の実施の形態のシャッタ装置４１を図６〜図８に基づいて説明すると、最下部には、外形が円形状のヨーク４２が配設されている。このヨーク４２は、中央部に所定の大きさの開口４２ａが形成されて外形が略ドーナッツ状をなしている。
前記開口４２の内周面には、例えば４本のガイド突起４２ｂが折り曲げ形成されて、後述するベース部材４７の円形状の基部４７ｂを位置決め可能になっている。
【００６７】
また、ヨーク４２は、平坦でドーナッツ状の平面部４２ｃが形成され、この平面部４２ｃ上には、円弧状に形成されて、後述するベース部材４７の円形状の基部４７ｂを挟んで互いに対向して第１、第２リンク部材４３、４５が配置されている。前記第１リンク部材４３には、円弧状の長手方向の略中央部に突起状の回動支持部４３ａが形成されている。
前記第１リンク部材４３は、図示奥側の一端部寄りに突起状のシャッタ駆動部４３ｂが所定高さで突出形成され、図示手前側の他端部４３ｃ側が細長の円弧状に形成されている。
【００６８】
また、第１リンク部材４３の表面には、形状が略矩形状で永久磁石で形成された一方と他方の一対のマグネット４４ａ、４４ｂからなる第１マグネット４４が接着剤等で固着されている。
そして、一方と他方の一対のマグネット４４ａ、４４ｂは、それぞれ異なる磁極が着磁され、例えば一方のマグネット４４ａがＳ極に着磁されて他端部４３ｃ寄りの位置に固着され、他方のマグネット４４ｂがＮ極に着磁されて回動支持部４３ａよりシャッタ駆動部４３ｂ側の一端部寄りの位置に固着されいる。
【００６９】
また、第２リンク部材４５は、第１リンク部材４３と対称形状に形成され、円弧状の長手方向の略中央部に回動支持部４５ａが突出形成されている。
そして、第２リンク部材４５は、第１リンク部材４３のシャッタ駆動部４３ｂと対向する一端部寄りにシャッタ駆動部４３ｂと同じ形状のフィルタ駆動部４５ｂが突出形成され、図示手前側の他端部４５ｃ側が細長の円弧状に形成されている。また、第２リンク部材４５の表面には、第１マグネット４４と同じような、一方と他方の一対のマグネット４６ａ、４６ｂからなる第１マグネット４６が固着されている。
そして、例えば一方のマグネット４６ａがＳ極に着磁されてフィルタ駆動部４５ｂ側の一端部寄りの位置に固着され、他方のマグネット４６ｂがＳ極に着磁されて他端部４５ｃ寄りの位置に固着されいる。
【００７０】
また、ヨーク４２上には、第１、第２リンク部材４３、４５を回動自在に支持する樹脂材料からなるベース部材４７が配設されている。前記ベース部材４７は、中央部に所定の口径の開口部４７ａを有する略円筒状に図示下方側に突出する基部４７ｂが形成されている。
前記基部４７ｂが所定の径寸法と高さ寸法で形成されて、外周部がヨーク４２のガイド突起４２ｂによって位置決め可能になっている。
【００７１】
また、円筒状の基部４７ｂからは、第１リンクガイド部４８、連結部４９、第２リンクガイド部５０、幅広の羽根ガイド部５１がそれぞれ突出形成されて、外周部のリング状の周壁５２に連結されている。
そして、基部４７ｂと周壁５２との間で、第１リンクガイド部４８の両隣には、開放部４７ｃ、４７ｄが形成され、第２リンクガイド部５０の両隣には、開放部４７ｅ、４７ｆが形成されている。また、第２リンクガイド部５０の図示右側の基部４７ｂ表面には、一対のコイルガイド４７ｇが突出形成されている。
【００７２】
前記第１リンクガイド部４８には、第１リンク部材４３の回動支持部４３ａが嵌合可能な孔からなる第１リンク支持部４８ａが貫通形成されていると共に、後述する第１コイル４８をガイド可能な一対のコイルガイド４８ｂが形成されている。そして、第１リンク支持部４８ａに回動支持部４３ａを嵌合させると、第１マグネット４４の一方のマグネット４４ａが開放部４７ｄに位置し、他方のマグネット４４ｂとシャッタ駆動部４３ｂとが開放部４７ｃに位置するようになっている。
また、第２リンクガイド部５０には、第２リンク部材４５の回動支持部４５ａが嵌合可能な孔からなる第２リンク支持部５０ａが貫通形成されていると共に、後述する第２コイルをガイド可能な一対のコイルガイド５０ｂが形成されている。そして、第２リンク支持部５０ａに回動支持部４５ａを嵌合させると、第２マグネット４６の一方のマグネット４６ａとフィルタ駆動部４５ｂとが開放部４７ｅに位置し、他方のマグネット４６ｂが開放部４７ｆに位置するようになっている。
【００７３】
また、ベース部材４７には、連結部４９と対向する側の基部４７ｂと周壁５２との間には、面積の広い平坦状の羽根ガイド部５１が形成されている。
前記平坦状の羽根ガイド部５１上に、後述するシャッタ羽根５４が開口部４７を遮蔽する方向に回動可能に載置されている。
また、羽根ガイド部５１の図示右側にシャッタ支持部５１ａと、図示左側にフィルタ支持部５１ｂとが所定の径寸法と高さ寸法で突出形成されている。前記フィルタ支持部５１ｂが形成された部分が羽根ガイド部５１の面より所定寸法高くなってフィルタガイド部５１ｃが形成されている。
前記基部４７ｂの表面には、一段高くなって細長状の受け部５３が形成され、この受け部５３の図示手前側に一対のガイド突起５３ａ、５３ｂが突出形成されている。
また、ベース部材４７には、平坦状の羽根ガイド部５１の表面に、カーボン等の導電性粉末を練り込みした樹脂材料等からなる薄板状のシャッタ羽根５４が配設されている。
【００７４】
このシャッタ羽根５４は、図示右端部側の回動中心に丸孔からなる支持部５４ａが形成されると共に、この支持部５４ａに隣接して手前側が開放された溝状の係合部５４ｂが形成されている。また、シャッタ羽根５４には、図示左側の一端部側に、ベース部材４７の開口部４７ａを開閉可能な面積の大きな遮蔽部５４ｃが形成されている。
このようなシャッタ羽根５４は、羽根ガイド部５１上に遮蔽部５４ｃを載置した状態で、支持部５４ａをベース部材４７のシャッタ支持部５１ａに嵌合させると共に、係合部５４ｂを第１リンク部材４３のシャッタ駆動部４３ｂに係合させて組み立てられている。
【００７５】
また、基部５７ｂ表面の受け部５３上には、カーボン等の導電性粉末を練り込みした樹脂材料等からなる薄板状で細長状の干渉防止部材５５が載置されて、接着剤等でベース部材４７に固着されている。
前記干渉防止部材５５は、図示奥側の一端部側に、シャッタ支持部５１ａに嵌合可能な孔状の支持部５５ａが形成されると共に、他端部側に、ガイド部５３ａ、５３ｂにガイドされて位置決め可能な位置決め部５５ｂが形成されている。
このような干渉防止部材５５は、シャッタ羽根５４の支持部５４ａを嵌合して貫通するシャッタ支持部５１ａに支持部５５ａを嵌合させて受け部５３上に載置すると、位置決め部５５ｂがガイド部５３ａ、５３ｂ間に位置決めされて動きが規制されるようになっている。
【００７６】
また、シャッタ羽根５４の遮蔽部５４ｃ上には、カーボン等の導電性粉末を練り込みした樹脂材料等からなる薄板状のフィルタ羽根５６が配設され、このフィルタ羽根５６は、図示左端部側の回動中心に丸孔からなる支持部５６ａが形成されると共に、この支持部５６ａに隣接して手前側が開放された溝状の係合部５６ｂが形成されている。
【００７７】
また、フィルタ羽根５６は、図示右方向に所定寸法延長して回動端部５６ｃが形成され、支持部５６ａをフィルタ支持部５１ｂに嵌合させた状態で回動させた場合に、開口部４７ａを遮蔽しない長さに回動端部５６ｃが形成されている。
そして、回動端部５６ｃ上には、固着部５７ａが接着剤等で固着されたＮＤフィルタ５７が配設されている。このＮＤフィルタ５７は、略円形状で面積の大きな遮蔽部５７ｂが形成され、この遮蔽部５７ｂから図示右側に微少量突出する端部５７ｃが干渉部材５５上に位置して、摺接可能になっている。
【００７８】
また、第１、第２リンク部材４３、４５に取り付けた第１、第２マグネット４４、４６と対向する上方には、薄板状で略楕円状に巻回された第１、第２コイル５８、５９が配設されている。
前記第１、第２コイル５８、５９は、ＦＰＣ（フレキシブル基板）６０に接着等により一体化されている。そして、第１コイル５８は、ベース部材４７の受け部５３の側面とコイルガイド４８ｂとにガイドされて位置決めされ、第２コイル５９は、ベース部材４７のコイルガイド４７ｇ、５０ｂにガイドされて位置決めされている。
【００７９】
そして、ベース部材４７の所定位置に位置決めした第１、第２コイル５８、５９から延出するＦＰＣ６０は、ベース部材４７の連結部４９から外部に引き出しされている。
また、ベース部材４７の上方にはカバー部材６１が接着等により取り付けられて、ベース部材４７に載置した一対のコイル５８、５９およびＮＤフィルタ５７等を覆っている。  
前記カバー部材６１には、ベース部材４７の開口部４７ａと対向する位置に、ＮＤフィルタ５７の開放孔６１ａが形成されている。そして、カバー部材６１の下面にフィルタ羽根５６が接した状態で、フィルタ羽根５６が回動することによ
り、ＮＤフィルタ５７が開放孔６１ａ内を回動可能になっている。
【００８０】
また、開放孔６１ａに接して切り欠き部６１ｂが形成され、この切り欠き部６１ｂに第１リンク部材４３のシャッタ駆動部４３ｂが位置して回動自在になっている。また、開放孔６１ａの図示左側には楕円孔６１ｃが形成され、この楕円孔６１ｃに第２リンク部材４５のフィルム駆動部４５ｂが位置して回動自在になっている。また、楕円孔６１ｃの奥側には、丸孔６１ｄが形成され、この丸孔６１ｄにベース部材４７のフィルタ支持部５１ｂが挿通するようになっている。
【００８１】
このような構成の本発明の第２の実施の形態のシャッタ装置４１は、第１リンク部材４３の回動支持部４３ａをベース部材４７の第１リンクガイド部４８の第１リンク支持部４８ａに嵌合支持すると、第１マグネット４４の一方のマグネット４４ａが開放部４７ｄに位置すると共に、他方のマグネット４４ｂが開放部４７ｃに位置して、第１リンク部材４３が回動支持部４３ａを支点として回動自在となっている。
また、第２リンク部材４５の回動支持部４５ａをベース部材４７の第２リンクガイド部５０の第２リンク支持部５０ａに嵌合支持すると、第２マグネット４６の一方のマグネット４６ａが開放部４７ｅに位置すると共に、他方のマグネット４６ｂが開放部４７ｆに位置して、第２リンク部材４５が回動支持部４５ａを支点として回動自在となっている。
【００８２】
また、開放部４７ｃから上方に突出する第１リンク部材４３のシャッタ駆動部４３ｂには、羽根ガイド部５１上に載置したシャッタ羽根５４の長孔状の係合部５４ｂが係合するようになっている。
そして、シャッタ羽根５４の支持部５４ａをベース部材４７のシャッタ支持部５１ａに嵌合支持した状態で、第１リンク部材４３が回動支持部４３ａを支点として回動すると、シャッタ羽根５４は、支持部５１ａを支点として遮蔽部５４ｃが回動して開口部４７ａを開閉可能になっている。
【００８３】
また、開放部４７ｅから上方突出にする第２リンク部材４５のシャッタ駆動部４５ｂには、フィルタガイド部５１ｃ上に載置したフィルタ羽根５６の長孔状の係合部５６ｂが係合するようになっている。
そして、フィルタ羽根５６の支持部５６ａをベース部材４７のフィルタ支持部５１ｂに嵌合支持した状態で、第２リンク部材４５が回動支持部４５ａを支点として回動すると、フィルタ羽根５６は、支持部５６ａを支点としてシャッタ羽根５４上を回動するようになっている。
【００８４】
前記フィルタ羽根５６の回動で、干渉防止部材５５上をＮＤフィルタ５７の端部５７ｃが摺動して、ＮＤフィルタの遮蔽部５７ｂが開口部４７ａを開閉可能になっている。
そのために、フィルタ羽根５６がシャッタ羽根５４と干渉するのを防止することができ、シャッタ羽根５４およびＮＤフィルタ５７の回動速度のバラツキを無くすることができるようになっている。
このような構成の第２の実施の形態のシャッタ装置４１は、第１の実施の形態のシャッタ装置２１と高さ寸法が同じ１．５ｍｍになるようになっている。
【００８５】
また、本発明の第２の実施の形態のシャッタ装置４１の動作は、例えば、第１コイル５８に一方向の通電を行うことにより発生する磁束が、第１マグネット４４の一方と他方のマグネット４４ａ、４４ｂの磁束に作用する。
このことにより、第１リンク部材４３は、回動支持部４３ａを支点として、一端部側のシャッタ駆動部４３ｂがベース部材４７の基部４７ｂから離れる方向に、他端部４３ｃが基部４７ｂに近づく方向の図示時計回り方向に回動する。
【００８６】
これによって、シャッタ羽根５４は、係合部５４ｂの内周面が、回動するシャッタ駆動部４３ｂによって外側に押されて、支持部５４ａを支点として図示反時計回り方向に回動する。
即ち、シャッタ羽根５４は、第１リンク部材４３の回動方向と逆方向に回動するようになっている。
そして、シャッタ羽根５４が支持部５４ａを支点として反時計回り方向に回動することにより、面積の大きな遮蔽部５４ｃが開口部４７ａを閉じる方向に回動し、遮蔽部５４ｃが開口部４７ａを完全に遮蔽するシャッタ動作を行うことができる。また、第１コイル５８への通電を逆にすると、第１リンク部材４３は、反時計回り方向に回動し、シャッタ羽根５４が支持部５４ａを支点として時計回り方向に回動して、遮蔽部５４ｃが開口部４７ａを開放するようになる。
【００８７】
また、第２コイル５９に通電を行うことにより、第２リンク部材４５は、支持部４５ａを支点として、時計回り方向および反時計回り方向に回動して、フィルタ羽根５６が回動するようになっている。
このフィルタ羽根５６の回動で、ＮＤフィルタ５７が開口部４７ａを遮蔽して、開口部４７ａを通過する光量を調整することができるようになっている。回動するＮＤフィルタ５７は、端部５７ｃが干渉防止部材５５上を摺動するので、フィルタ羽根５６がシャッタ羽根５４と擦れて干渉することがない。
【００８８】
また、シャッタ装置４１は、第１リンク部材４３の他端部４３ｃ寄りの位置に固着した、例えば一方の磁極であるＳ極が着磁された第１マグネット４４の一方のマグネット４４ａと、第２リンク部材４５の他端部４５ｃ寄りの位置に固着した、例えば他方の磁極であるＮ極が着磁された第２マグネット４６の他方のマグネット４６ｂとに吸引力が発生して、第１、第２リンク部材４３、４５のそれぞれの他端部４３ｃ、４５ｃが互いに近づく方向に引き合うようになっている。
そのために、シャッタ羽根５４が開口部４７ａを遮蔽するシャッタ動作のスピードアップを図ることができる。
【００８９】
また、第１、第２リンク部材４３、４５の他端部４３ｃ、４５ｃ寄りの位置に、図示を省略するが、例えば一方の磁極であるＳ極が着磁された第１マグネット４４の一方のマグネット４４ａと、同じくＳ極が着磁された第２マグネット４６の一方のマグネット４６ａとを固着して、互いのマグネット間で反発力が発生するようにしたものでも良い。このようなマグネットの配置構成は、第１の実施の形態のシャッタ装置２１にも適用することができる。
【００９０】
そして、第１、第２リンク部材４３、４５のそれぞれの他端部４３ｃ、４５ｃに吸引力、または反発力が発生するようにしたシャッタ装置４１は、それぞれのコイル５８、５９に通電しない時でも、シャッタ羽根５４、およびＮＤフィルタ５７が開口部４７ａを開く方向、または閉じる方向に付勢することができ、シャッタ装置の特性に合わせて、使い分けすることができ、設計の自由度を広くすることができる。
【００９１】
尚、本発明の第２の実施の形態では、第１リンク部材４３の回動支持部４３ａを丸突起状で形成し、この回動支持部４３ａに嵌合する第１リンク支持部４８ａを丸孔で説明したが、回動支持部４３ａを丸孔に、第１リンク支持部４８ａを突起状に形成したものでも良い。
また、ベース部材４７のシャッタ支持部５１ａを突起状に形成し、シャッタ羽根５４の支持部５４ａを丸孔で説明したが、シャッタ支持部５１ａを丸孔で、支持部５４ａを突起状のもので形成したものでも良い。
また、本発明の第１、第２の実施の形態におけるフィルタ羽根に換えて、ベース部材に形成した開口部の口径より小さな小径孔からなる絞り部（図示せず）を取り付けた絞り羽根を配設したものでも良い。
【図面の簡単な説明】
【００９２】
【図１】本発明の第１の実施の形態のシャッタ装置の分解斜視図である。
【図２】図１の部分平面図である。
【図３】図１の内部を説明する平面図である。
【図４】図１の平面図である。
【図５】図４の側面図である。
【図６】本発明の第２の実施の形態のシャッタ装置の分解斜視図である。
【図７】図６の部分平面図である。
【図８】図６の部分平面図である。
【図９】従来のシャッタ装置の分解斜視図である。
【符号の説明】
【００９３】
２１  本発明のシャッタ装置
２２  ヨーク
２２ａ  開口
２３  第１リンク部材
２３ａ  支持部
２３ｂ  シャッタ駆動部
２４ａ  第１マグネット
２４ｂ  第２マグネット
２５  第２リンク部材
２５ａ  支持部
２５ｂ  フィルタ駆動部
２６  ベース部材
２６ａ  開口部
２６ｂ  基部
２６ｃ  第１リンクガイド部
２６ｄ  第１リンク支持部
２７  羽根ガイド部
２７ａ  シャッタ支持部
２７ｂ  フィルタ支持部
２８  第２リンクガイド部
２８ａ  第２リンク支持部
２９  シャッタ羽根
２９ａ  支持部
２９ｂ  係合部
２９ｃ  遮蔽部
３０  フィルタ羽根
３２ａ  第１コイル
３２ｂ  第２コイル
３３  ＦＰＣ
３４  カバー部材
３４ａ  開放孔
３４ｂ  長孔
【図１】
2005222016.tif 000003
【図２】
2005222016.tif 000004
【図３】
2005222016.tif 000005
【図４】
2005222016.tif 000006
【図５】
2005222016.tif 000007
【図６】
2005222016.tif 000008
【図７】
2005222016.tif 000009
【図８】
2005222016.tif 000010
【図９】
2005222016.tif 000011